(57)【要約】【課題】化粧用コームによる化粧と化粧用アプリケータによる化粧を使用に応じて適宜施すと共に、コームによる化粧の際にアプリケータによる化粧料の付着の虞がなく使い勝手を向上する。【解決手段】軸体１５の先端側の外周面において軸線方向に並ぶ櫛歯を備えたコーム２１による化粧を施す場合には、操作部１１に連結されたアプリケータ３１を軸体１５先端から没入させ軸体１５内に収容した状態で化粧を施し、アプリケータ３１による化粧を施す場合には、使用者による操作部１１の操作により、当該操作部１１に連結され軸体１５内に収容されたアプリケータ３１を軸体１５先端から出現させて化粧を施し、コーム２１による化粧とアプリケータ３１による化粧を、使用に応じて適宜施すことを可能とすると共に、コーム２１による化粧の際にアプリケータ３１による化粧料の付着の虞をなくし、使い勝手を向上する。【選択図】図２
2012075556.tif 000002
【特許請求の範囲】
【請求項１】
化粧料を塗布するための化粧料塗布具であって、
軸体と、
前記軸体の先端側の外周面において軸線方向に並ぶ櫛歯を備えた化粧用コームと、
前記軸体内に収容された化粧用アプリケータと、
前記軸体の基端側に設けられた把持部と、
前記把持部に設けられ前記化粧用アプリケータに連結された操作部と、を具備し、
使用者による前記操作部の操作により、前記軸体の先端から前記化粧用アプリケータが出没することを特徴とする化粧料塗布具。
【請求項２】
前記櫛歯は、軸線方向視において円環状又は円弧状を成し、
前記化粧用コームは、前記櫛歯を軸線方向に沿って複数並設したものであることを特徴とする請求項１記載の化粧料塗布具。
【請求項３】
前記化粧用コームは、前記軸体の片側において外側に向かって突出する櫛歯を軸線方向に沿って一列に並設したものであることを特徴とする請求項１記載の化粧料塗布具。
【請求項４】
前記操作部の軸線方向のスライド移動に連動して前記化粧用アプリケータが軸線方向にスライド移動し、前記軸体の先端から出没することを特徴とする請求項１〜３の何れか一項に記載の化粧料塗布具。
【請求項５】
請求項４に記載の化粧料塗布具と、
前記化粧料を内部に収容する収容部を備え当該収容部の上面に設けられた開口頚部を通して内外が連通される容器本体と、を具備した化粧料容器であって、
前記把持部は、前記開口頚部に着脱可能に装着されて当該化粧料容器の蓋として機能し、前記開口頚部に対する装着時に、前記化粧用コームが前記開口頚部を通して前記収容部内に進入し、
使用にあたって前記把持部が前記開口頚部から取り外され、前記操作部のスライド移動により、前記化粧用アプリケータが前記軸体内に没入している初期位置からスライド移動して前記軸体の先端から出現している状態で、前記把持部が前記開口頚部に装着されると、前記化粧料塗布具の構成部品が、前記容器本体の構成部品に当接しながら反対方向にスライド移動し前記化粧用アプリケータ及び前記操作部が前記初期位置に戻る機構を有することを特徴とする化粧料容器。
【請求項６】
前記把持部が前記開口頚部に装着されると、前記化粧料塗布具の構成部品である前記操作部のその先端部が、前記容器本体の構成部品である前記収容部のその上面に当接しながら前記反対方向にスライド移動し、前記化粧用アプリケータ及び前記操作部が前記初期位置に戻ることを特徴とする請求項５記載の化粧料容器。
【請求項７】
前記開口頚部の内周面に当接する円筒部及びこの円筒部に連設され前記開口頚部の上面に当接する鍔部を備えると共に、前記円筒部の下部に、前記化粧用コームが通過する際に当該化粧用コームに付着した余分な化粧料を掻き落とすための掻取部を備えた中栓部を、前記容器本体の構成部品として具備すると共に、
前記スライド移動方向に移動可能とされて前記化粧用アプリケータの出現方向へのスライド移動により押し出される突出部を、前記容器化粧料塗布具の構成部品として具備し、
前記把持部が前記開口頚部に装着されると、前記突出部の下部が、前記中栓部の前記鍔部に当接しながら前記反対方向にスライド移動し、前記化粧用アプリケータ及び前記操作部が前記初期位置に戻ることを特徴とする請求項５記載の化粧料容器。
【発明の詳細な説明】
【技術分野】
【０００１】
本発明は、化粧料を塗布するための化粧料塗布具及びこれを備えた化粧料容器に関する。
【背景技術】
【０００２】
従来、アイライナーとマスカラの共用塗布具として、軸体の先端にアイライナー用筆先部を、軸体の先端側の外周面に外方に突出する例えばコーム等のマスカラ用塗布部を、軸体の基端側に把持部をそれぞれ備えたものが提案されている（例えば、特許文献１参照）。この共用塗布具では、マスカラ用塗布部により睫毛にマスカラを塗布可能であり、アイライナー用筆先部により、目元にアイラインを施すことが可能となっている。
【先行技術文献】
【特許文献】
【０００３】
【特許文献１】実用新案登録第３１５９６２８号公報
【発明の概要】
【発明が解決しようとする課題】
【０００４】
しかしながら、上記塗布具にあっては、使用者が、マスカラ用塗布部により睫毛に化粧料を塗布する際に、軸体先端のアイライナー用筆先部が、鼻の根元である鼻根部に触れてしまい、筆先部に付着している化粧料が鼻根部に付いてしまう。従って、このように鼻根部に化粧料が付くのを避けるには、化粧料塗布具の向きや位置を考慮し筆先部が鼻根部に触れないようにマスカラを塗布する必要があり、使い勝手が非常に悪いという問題があった。
【０００５】
そこで、本発明は、化粧用コームによるマスカラを始めとした化粧と化粧用アプリケータによるアイラインを始めとした化粧を、使用に応じて適宜施すことができると共に、化粧用コームによる化粧の際に化粧用アプリケータによる化粧料の付着の虞がなく使い勝手が向上された化粧料塗布具及び化粧料容器を提供することを目的としている。
【課題を解決するための手段】
【０００６】
本発明による化粧料塗布具は、化粧料を塗布するための化粧料塗布具であって、軸体と、軸体の先端側の外周面において軸線方向に並ぶ櫛歯を備えた化粧用コームと、軸体内に収容された化粧用アプリケータと、軸体の基端側に設けられた把持部と、把持部に設けられ化粧用アプリケータに連結された操作部と、を具備し、使用者による操作部の操作により、軸体の先端から化粧用アプリケータが出没することを特徴としている。
【０００７】
このような化粧料塗布具によれば、軸体の先端側の外周面において軸線方向に並ぶ櫛歯を備えた化粧用コームによる化粧を施す場合には、化粧用アプリケータを軸体先端から没入させ軸体内に収容した状態で化粧を施すことができ、化粧用アプリケータによる化粧を施す場合には、使用者による操作部の操作により、当該操作部に連結され軸体内に収容された化粧用アプリケータを軸体先端から出現させて化粧を施すことができる。従って、化粧用コームによる化粧と化粧用アプリケータによる化粧を、使用に応じて適宜施すことができると共に、化粧用コームによる化粧の際に化粧用アプリケータによる化粧料の付着の虞がなく、使い勝手を向上できる。
【０００８】
ここで、上記作用を効果的に奏する構成としては、具体的には、櫛歯は、軸線方向視において円環状又は円弧状を成し、化粧用コームは、櫛歯を軸線方向に沿って複数並設した構成が挙げられる。
【０００９】
また、上記作用を効果的に奏する構成としては、具体的には、化粧用コームは、軸体の片側において外側に向かって突出する櫛歯を軸線方向に沿って一列に並設した構成も挙げられる。
【００１０】
また、上記作用を効果的に奏する構成としては、具体的には、操作部の軸線方向のスライド移動に連動して化粧用アプリケータが軸線方向にスライド移動し、軸体の先端から出没する構成が挙げられる。
【００１１】
また、本発明による化粧料容器は、上記に記載の化粧料塗布具と、化粧料を内部に収容する収容部を備え当該収容部の上面に設けられた開口頚部を通して内外が連通される容器本体と、を具備した化粧料容器であって、把持部は、開口頚部に着脱可能に装着されて当該化粧料容器の蓋として機能し、開口頚部に対する装着時に、化粧用コームが開口頚部を通して収容部内に進入し、使用にあたって把持部が開口頚部から取り外され、操作部のスライド移動により、化粧用アプリケータが軸体内に没入している初期位置からスライド移動して軸体の先端から出現している状態で、把持部が開口頚部に装着されると、化粧料塗布具の構成部品が、容器本体の構成部品に当接しながら反対方向にスライド移動し化粧用アプリケータ及び操作部が初期位置に戻る機構を有することを特徴としている。
【００１２】
このような化粧料容器によれば、使用者が操作部を戻し忘れ、化粧用アプリケータが軸体の先端から出現している状態のままで、化粧料容器の蓋である把持部を開口頚部に装着すると、化粧料塗布具の構成部品が、容器本体の構成部品に当接しながら反対方向にスライド移動し化粧用アプリケータ及び操作部が初期位置に戻るため、使い勝手の良い化粧料容器とすることができる。
【００１３】
ここで、上記作用を効果的に奏する構成としては、具体的には、把持部が開口頚部に装着されると、化粧料塗布具の構成部品である操作部のその先端部が、容器本体の構成部品である収容部のその上面に当接しながら反対方向にスライド移動し、化粧用アプリケータ及び操作部が初期位置に戻る構成が挙げられる。
【００１４】
また、上記作用を効果的に奏する構成としては、具体的には、開口頚部の内周面に当接する円筒部及びこの円筒部に連設され開口頚部の上面に当接する鍔部を備えると共に、円筒部の下部に、化粧用コームが通過する際に当該化粧用コームに付着した余分な化粧料を掻き落とすための掻取部を備えた中栓部を、容器本体の構成部品として具備すると共に、スライド移動方向に移動可能とされて化粧用アプリケータの出現方向へのスライド移動により押し出される突出部を、容器化粧料塗布具の構成部品として具備し、把持部が開口頚部に装着されると、突出部の下部が、中栓部の鍔部に当接しながら反対方向にスライド移動し、化粧用アプリケータ及び操作部が初期位置に戻る構成も挙げられる。
【発明の効果】
【００１５】
このように本発明によれば、化粧用コームによる化粧と化粧用アプリケータによる化粧を使用に応じて適宜施すことができると共に、化粧用コームによる化粧の際に化粧用アプリケータによる化粧料の付着の虞がなく使い勝手を向上できる。
【図面の簡単な説明】
【００１６】
【図１】本発明の第１実施形態に係る化粧料塗布具を備えた化粧料容器を示す正面図である。
【図２】図１に示す化粧料容器の縦断面図である。
【図３】図１及び図２中の容器本体を示す一部破断正面図である。
【図４】図１及び図２中の化粧料塗布具を示す斜視図である。
【図５】図４に示す化粧料塗布具の一部破断正面図である。
【図６】図４に示す状態から化粧用アプリケータが移動し使用位置に位置したときの斜視図である。
【図７】図６に示す化粧料塗布具の縦断面図である。
【図８】本発明の第２実施形態に係る化粧料塗布具を示す斜視図であり、化粧用アプリケータが使用位置に位置したときの斜視図である。
【図９】図８に示す化粧料塗布具の側面図である。
【図１０】本発明の第３実施形態に係る化粧料塗布具を示す縦断面図であり、化粧用アプリケータが使用位置に位置したときの縦断面図である。
【図１１】図１０に示す化粧料塗布具を容器本体に装着する前の縦断面図である。
【図１２】本発明の第３実施形態に係る化粧料塗布具を備えた化粧料容器を示す縦断面図であり、図１０に示す化粧料塗布具を容器本体に装着した状態の縦断面図である。
【発明を実施するための形態】
【００１７】
以下、本発明による化粧料塗布具及び化粧料容器の好適な実施形態について図１〜図１２を参照しながら説明する。図１〜図７は、本発明の第１実施形態を、図８及び図９は、本発明の第２実施形態を、図１０〜図１２は、本発明の第３実施形態を各々示すものであり、各図において、同一の要素には同一の符号を付し、重複する説明は省略する。
【００１８】
先ず、図１〜図７に示す第１実施形態を説明する。
【００１９】
図１は、本発明の第１実施形態に係る化粧料塗布具を備えた化粧料容器を示す正面図、図２は、図１の縦断面図、図３は、容器本体を示す一部破断正面図、図４〜図７は、化粧料塗布具を示す各図であり、図４及び図５は化粧用アプリケータが初期位置に位置している図、図６及び図７は化粧用アプリケータが使用位置に位置している図であり、本実施形態の化粧料容器は、睫毛をボリュームアップすべく睫毛にマスカラを塗布するとき、目元にアイラインを施すときに用いられるものである。
【００２０】
図１及び図２に示すように、化粧料容器３００は、ボトルタイプ式の化粧料容器であって、マスカラＬを収容する容器本体１と、この容器本体１に着脱自在に装着され容器本体１の蓋（キャップ）及びマスカラＬの塗布具として機能する化粧料塗布具１００と、を概略具備している。そして、化粧料塗布具１００は、詳しくは後述するが、睫毛にマスカラＬを塗布するための化粧用コーム（以下単にコームと呼ぶ）２１と、目元にアイラインを施すための化粧用アプリケータ（以下単にアプリケータと呼ぶ）３１と、を共に備えるものである。
【００２１】
容器本体１は、図１〜図３に示すように、マスカラＬを収容するための収容部３と、この収容部３の上部に一体に連設され当該収容部３に繋がる開口頚部４と、を備える。
【００２２】
収容部３は、有底円筒状に構成されその内部にマスカラＬを収容する。開口頚部４は、収容部３の上面２３に当該収容部３と同軸に連設された小径の円筒部であり、その筒内が収容部３内に連通する構成とされている。この開口頚部４には、その外周面に、化粧料塗布具１００を着脱可能に螺合するための雄螺子５が形成されている。また、開口頚部４の内周面には、プラスチックやゴム等より成る円筒状の中栓部６が固着されている。この中栓部６は、開口頚部４の内周面に当接する円筒部６ｂ及びこの円筒部６ｂに連設され開口頚部４の上面に当接する鍔部６ａを備えると共に、円筒部６ｂの下部に、コーム２１が通過する際に当該化粧用コーム２１に付着した余分なマスカラＬを掻き落とすための掻取部７を備えている。
【００２３】
化粧料塗布具１００は、図１及び図２に示すように、容器本体１の蓋となると共に使用者により把持される把持部８と、この把持部８内から容器本体１の収容部３側（図２の下方）に突出する軸体９と、を備えている。
【００２４】
把持部８は、有底筒状に構成されて有底部が上側に位置する配置とされ、その開口端側の内周面に、図２、図４〜図７に示すように、開口頚部４の外周面の雄螺子５に螺合する雌螺子１０を備えている。そして、把持部８は、その雌螺子１０を雄螺子５に螺合することで、容器本体１に対して着脱可能に装着される。
【００２５】
この把持部８の周壁の一部であって当該一部の外周面側の部分は、周壁のそれ以外の部分から切り取られた格好で、断面円弧状を成し軸線方向に延びる薄肉の操作部１１とされている。この操作部１１は、当該操作部１１を把持部８の周壁から切り取ることで残された凹部１２に収容されている。この凹部１２の下端は外部に開放されている。操作部１１の内側の面には、さらに内側に向かって突出する連結ピン１３が設けられると共に、この連結ピン１３に対面する凹部１２の底面には、軸線方向に延び内外を連通するガイドスリット１４が設けられており、操作部１１の連結ピン１３がガイドスリット１４を通して把持部８内に進入する構成とされている。従って、操作部１１は、連結ピン１３がガイドスリット１４にガイドされながら、軸線方向にスライド移動可能とされている。
【００２６】
軸体９は、把持部８に固定された円筒状の外軸体１５と、この外軸体１５内に収容されて移動可能な内軸体１６と、を備える。
【００２７】
外軸体１５は、容器本体１に化粧料塗布具１００を装着したときに、その先端が、収容部３の底面近くまで延びるように把持部８から突出する構成とされている（図２参照）。そして、この外軸体１５の先端側の外周面に、軸線方向に並ぶ櫛歯２０を備えたコーム２１が設けられている。
【００２８】
また、外軸体１５のコーム２１が設けられている部分には、外軸体１５の内外を連通し軸線方向に延びるスリット１７が周方向に少なくとも１個（ここでは１個）設けられている。このスリット１７は、化粧料塗布具１００を容器本体１に装着したときに、マスカラＬを外軸体１５内に進入させるための開口である。そして、櫛歯２０は、軸線方向視において、スリット１７が横切ることで円弧状とされ、コーム２１は、周方向に断続する円弧状の櫛歯２０が、外軸体１５の先端近傍から軸線方向の所定長に亘って多数並ぶ構成とされている（凹凸が多数連続する構成とされている）。
【００２９】
また、外軸体１５の上部の周壁には、把持部８のガイドスリット１４と同様なガイドスリット１８が、ガイドスリット１４に重なるように設けられており、操作部１１の連結ピン１３が、ガイドスリット１８を通して外軸体１５内に進入する構成とされている。
【００３０】
内軸体１６は、外軸体１５より多少短い長さに構成されて外軸体１５内に収容され、外軸体１５の内周面にガイドされながら軸線方向（上下方向）にスライド移動可能とされている。この内軸体１６の上部には、ガイドスリット１４，１８を通して外軸体１５内に進入してきた連結ピン１３が連結されている。
【００３１】
従って、連結ピン１３がガイドスリット１４，１８にガイドされながら、操作部１１が軸線方向にスライド移動すると、この操作部１１の軸線方向のスライド移動に連動して内軸体１６が、外軸体１５にガイドされながら軸線方向にスライド移動する構成とされている。
【００３２】
内軸体１６の先端にはアプリケータ３１が設けられている。このアプリケータ３１は、化粧料を含浸可能な例えばチップやスクリューブラシ等のブラシであり、ここでは、先細りのチップとされている。
【００３３】
そして、図２に示すように、化粧料塗布具１００の把持部８が容器本体１の開口頚部４に螺子５，１０の螺合により装着されると（把持部８が締められると）、軸体９は、中栓部６の筒孔を通して容器本体１の収容部３内に進入する。このような状態を、ここでは初期状態と呼ぶ。この初期状態にあっては、図１及び図２、図４及び図５に示すように、操作部１１は凹部１２内に収まり、操作部１１の先端部１９は、把持部８の開放端と面一とされ当該開放端から突出しない構成とされると共に、アプリケータ３１の先端が外軸体１５の先端の開口２２から突出しない構成とされている。
【００３４】
この初期状態にあっては、外軸体１５の先端側のコーム２１は、収容部３に貯留されているマスカラＬに浸漬し、一方、内軸体１６の先端のアプリケータ３１は、外軸体１５の先端の開口２２から進入しさらに外軸体１５の先端側のスリット１７から内部に進入するマスカラＬに浸漬し、マスカラＬを十分に含浸した状態とされている。また、この初期状態にあっては、外軸体１５上部の大径部の底部の下面と中栓部６の鍔部６ａの天面とは当接した状態にある。
【００３５】
このように構成された化粧料容器３００によれば、化粧料塗布具１００を使用する場合には、図１及び図２に示す初期状態から、使用者は、把持部８を把持し回すことで螺子５，１０の螺合を解除しながら引き上げて当該化粧料塗布具１００を容器本体１から取り外す。このとき、軸体９が中栓部６の掻取部７を通過し、この際に、外軸体１５のコーム２１に付着した余分なマスカラＬが掻き落とされる。
【００３６】
そして、このように化粧料塗布具１００を容器本体１から取り外し、コーム２１による化粧を施す場合には、図４及び図５に示すように、内軸体１６の先端のアプリケータ３１が外軸体１５の先端の開口２２から没入し外軸体１５内に収容された初期状態で、コーム２１により睫毛にマスカラＬを塗布することができる。
【００３７】
次いで、アプリケータ３１による化粧を施す場合には、使用者による操作部１１の操作により、当該操作部１１を、図４及び図５に示す位置から軸体９の先端側に向かってスライド移動させる。すると、図６及び図７に示すように、これに連動して内軸体１６が同様にスライド移動し、内軸体１６の先端のアプリケータ３１は初期位置から外軸体１５の先端の開口２２から出現する使用位置に達し、アプリケータ３１により目元にアイラインを施すことができる。
【００３８】
そして、アプリケータ３１による化粧が終わったら、使用者による操作部１１の操作により、当該操作部１１を、図６及び図７に示す位置から反対方向に向かってスライド移動させる。すると、図４及び図５に示すように、これに連動して内軸体１６が同様にスライド移動し、内軸体１６の先端のアプリケータ３１は使用位置から外軸体１５の先端の開口２２から没入し外軸体１５内に収容される初期位置に戻る。その後、使用者は、化粧料塗布具１００の把持部８を取り外し時とは逆方向に回し螺子５，１０を螺合させながら当該把持部８を容器本体１に装着する。
【００３９】
このように、本実施形態においては、コーム２１による化粧を施す場合には、アプリケータ３１を外軸体１５の先端から没入させ外軸体１５内に収容した状態で化粧を施すことができ、アプリケータ３１による化粧を施す場合には、使用者による操作部１１の操作により、アプリケータ３１を外軸体１５の先端から出現させて化粧を施すことができるため、コーム２１による化粧とアプリケータ３１による化粧を、使用に応じて適宜施すことができると共に、コーム２１による化粧の際にアプリケータ３１によるマスカラＬの付着の虞がなく、使い勝手を向上できる。
【００４０】
また、使用者が操作部１１を戻し忘れ（スライド移動させて初期位置に戻すのを忘れ）、アプリケータ３１が外軸体１５の先端から出現している状態のままで、化粧料塗布具１００の蓋である把持部８を開口頚部４に装着すると、操作部１１の先端部１９が、収容部３の上面２３に当接しながら反対方向へスライド移動していき操作部１１及びアプリケータ３１が初期位置に戻る操作部の自動戻し機構を備えているため、使い勝手の良い化粧料容器となっている。
【００４１】
なお、本実施形態では、特に好適であるとして、化粧料容器３００に用いられる化粧料をマスカラとしているが、他の液状化粧料を用いコーム２１及びアプリケータ３１をこれとは別の化粧に用いることも可能である。因みに、液状化粧料の粘度が低く外軸体１５の先端の開口２２から外軸体１５内のアプリケータ３１に当該液状化粧料を含浸させられるようであれば、スリット１７はなくても良い。また、櫛歯２０は軸線方向視において円環状を成していても良い。
【００４２】
図８は、本発明の第２実施形態に係る化粧料塗布具を示す斜視図であり、アプリケータが使用位置に位置したときの斜視図、図９は、図８に示す化粧料塗布具の側面図である。
【００４３】
この第２実施形態の化粧料塗布具２００が第１実施形態の化粧料塗布具１００と違う点は、軸線方向視において円環状又は円弧状を成す櫛歯２０を軸線方向に並設したコーム２１を、外軸体１５の片側において外側に向かって山型（三角形状）に突出する櫛歯４０を軸線方向に沿って一列に並設することで弓形を成すコーム４１に代えた点である。
【００４４】
なお、外軸体１５の先端側は、コーム４１が弓形を成すため、これに合わせて多少片側に湾曲する形状とされているが、使用者による操作部１１の操作により、外軸体１５の先端からアプリケータ３１が出没する構成は第１実施形態と同様である。
【００４５】
このような第２実施形態においても、第１実施形態と同様な作用・効果を奏するというのはいうまでもない。
図１０は、本発明の第３実施形態に係る化粧料塗布具を示す縦断面図であり、化粧用アプリケータが使用位置に位置したときの縦断面図、図１１は、図１０に示す化粧料塗布具を容器本体に装着する前の縦断面図、図１２は、本発明の第３実施形態に係る化粧料塗布具を備えた化粧料容器を示す縦断面図であり、図１０に示す化粧料塗布具を容器本体に装着した状態の縦断面図である。
【００４６】
この第３実施形態の化粧料容器５００が第１実施形態の化粧料容器３００と違う点は、第１実施形態の化粧料塗布具１００に代えて、第１実施形態の操作部の自動戻し機構とは別の自動戻し機構を有する化粧料塗布具４００を用いた点である。
【００４７】
この第３実施形態の化粧料塗布具４００にあっては、操作部の自動戻し機構を構成する部品として、Ｌ字状を成す戻し部材３０を備えている。この戻し部材３０は、Ｌ字を構成し水平方向に延びると共に外軸体１５に掛止させるための掛止部３０ａと、Ｌ字を構成し上下方向に延びる突出部３０ｂと、を有し、軸体９上部の大径部に一対が対向して設けられている。
【００４８】
掛止部３０ａは、内軸体１６上部の大径部の底部の下面と、外軸体１５上部の大径部の底部の上面との間に位置し、突出部３０ｂは、外軸体１５上部の大径部の底部を貫通して下方に突出し、図１２に示す初期状態（把持部８が開口頚部４に装着されている状態）では、掛止部３０ａの上面が内軸体１６上部の大径部の底部の下面に当接すると共に、突出部３０ｂの下端面（先端面）が中栓部６の鍔部６ａの天面と当接し、この状態で、掛止部３０ａの下面と外軸体１５上部の大径部の底部の上面との間に、軸線方向に所定長の隙間が設けられている。
【００４９】
このような第３実施形態にあっては、図１２に示す初期状態から使用に供すべく化粧料塗布具４００を容器本体１から取り外し、操作部１１の操作により、内軸体１６を使用位置へスライド移動させると、図１０に示すように、アプリケータ３１は使用が可能となる使用位置に達し、この内軸体１６のスライド移動に従って戻し部材３０は押し出され、掛止部３０ａは、内軸体１６上部の大径部の底部の下面と外軸体１５上部の大径部の底部の上面と間に挟まれた状態となる。
【００５０】
そして、使用者が操作部１１を戻し忘れ、アプリケータ３１が外軸体１５の先端から出現している状態のままで、化粧料塗布具４００の把持部８を開口頚部４に装着していくと、図１１〜図１２に示すように、突出部３０ｂの下端面が中栓部６の鍔部６ａの天面に当接しながら反対方向にスライド移動していき、これにより内軸体１６が押し上げられ、アプリケータ３１及び操作部１１が初期位置に戻ることになる。
【００５１】
従って、この第３実施形態にあっても、第１実施形態と同様に、操作部１１を戻し忘れても自動的に戻るため、使い勝手の良い化粧料容器となっている。
【００５２】
なお、戻し部材３０の掛止部３０ａと内軸体１６とは、固定されていても、固定されていなくても良い。
【００５３】
以上、本発明をその実施形態に基づき具体的に説明したが、本発明は上記実施形態に限定されるものではなく、例えば、上記実施形態においては、化粧料塗布具１００，２００，４００を容器本体１の開口頚部４に対して螺子５，１０により着脱するようにしているが、化粧料塗布具１００，２００，４００を開口頚部４に押し込み嵌め込むタイプの着脱式に対しても適用可能である。
【００５４】
また、操作部１１をスライド移動させると、カチカチというクリック音と共に抵抗感を生じながらアプリケータ３１がスライド移動し、クリックごとに、アプリケータ３１の突出具合（移動具合）を感知できると共にその位置で止めることができるスライドクリック式を採用するのがより好ましい。
【００５５】
また、アプリケータ３１が、外軸体１５の先端から出現した状態で、例えばボタンを押すとバネの作用で外軸体１５内に没入するようにしても良い。
【符号の説明】
【００５６】
１…容器本体、３…収容部、４…開口頚部、８…把持部、６…中栓部、６ａ…鍔部、６ｂ…円筒部、７…掻取部、１１…操作部、１５…外軸体（軸体）、１９…操作部の先端部、２０，４０…櫛歯、２１，４１…化粧用コーム、２３…収容部の上面、３０…戻し部材、３０ｂ…突出部、３１…化粧用アプリケータ、１００，２００，４００…化粧料塗布具、３００，５００…化粧料容器、Ｌ…マスカラ（化粧料）。
【図１】
2012075556.tif 000003
【図２】
2012075556.tif 000004
【図３】
2012075556.tif 000005
【図４】
2012075556.tif 000006
【図５】
2012075556.tif 000007
【図６】
2012075556.tif 000008
【図７】
2012075556.tif 000009
【図８】
2012075556.tif 000010
【図９】
2012075556.tif 000011
【図１０】
2012075556.tif 000012
【図１１】
2012075556.tif 000013
【図１２】
2012075556.tif 000014